(57)【要約】      （修正有）【課題】使用しないときにも、その他の用途、例えばホワイトボードにも使用可能で、使用者がその表面に直接にカラーペンで書いてもよく、それをふき取って、繰り返し使用が可能で、また、該多機能擬似ディスプレイの底面には、複数のキャスターが設けられる移動式台座が設置、それにより自由に移動可能で、収納にもスペースがかからない多機能擬似ディスプレイを提供する。【解決手段】少なくとも、極細単糸と超細金属繊維を燃り合わせた燃合糸からなるスクリーン１が備わり、上下織りされ、非常に決め細やかで、織り糸がそれぞれ細かい間隔を均等にあけてなる格子状構造が設けられており、透明で、強度と硬度に優れた被覆グレイスケールガラス板２が備わり、真空抽出法でスクリーンの両面を密着に挟み込んで張り合わせて一体化され、周縁に封止めが設けられていることを特徴とする。【選択図】図１
0003173204.tif 000002
【実用新案登録請求の範囲】
【請求項１】
極細単糸と超細金属繊維を燃り合わせた燃合糸からなるスクリーンが備わり、上下織りされ、非常に決め細やかで、織り糸がそれぞれ細かい間隔を均等にあけてなる格子状構造が設けられており、そして、
透明で、強度と硬度に優れた被覆グレイスケールガラス板が二枚備わり、真空抽出法でスクリーンの両面を密着に挟み込んで固定され、そして端部が封止されていることを特徴とする多機能擬似ディスプレイ。
【請求項２】
更に移動式台座を備えてなり、表面には嵌込溝、底面には複数のキャスターが均一に設けられていることを特徴とする請求項１に記載の多機能擬似ディスプレイ。
【考案の詳細な説明】
【技術分野】
【０００１】
本考案は、ディスプレイを真似たスクリーン構造に関し、特に高画質（Ｆｕｌｌ−ＨＤ）と立体感に優れた映像を映し、高低レベルのプロジェクタの多様なニーズに応じるスクリーンに適用可能で、特殊材質で上下織りされた、決め細やかな格子状スクリーンを被覆グレイスケールガラスで挟み込んで一体化した多機能擬似ディスプレイに関する。  
【背景技術】
【０００２】
従来のディスプレイは種類が多く、その構造と長短所について次のように簡単に説明する。  
（１）陰極線管ディスプレイ（ＣＲＴ）は、映像管（電子銃）が高速電子ビームを射出し、最後に高速電子ビームがスクリーンの燐光発光層に放ち、発光され、それから、電圧の調節により、スクリーンに種々のイメージや文字が形成されることになるが、このようなディスプレイは、色が飽和し、コントラストが強いが、消費電力が高い製品なので、放射線と熱エネルギーの発生という最大な欠点のほかに、重くて、消費電力がかかること。
（２）リアプロジェクションディスプレイ（ＤＬＰ）は、テレビにプロジェクタを内蔵、電球と集光レンズ、精密チップの反射などにより、映像を投影することになり、画面が柔らかく映り、熱と放射エネルギーが小さいが、サイズが大きく、重く、そして高価なもので、電球の使用寿命にも限りがあること。
（３）液晶ディスプレイ（ＬＣＤ）は現在の主流製品で、液晶パネルが主な部品で、液晶の電気光効果と偏光特性を持つもので、軽量、消費電力が少なく、コンパクトなものであるが、映像の大きさが実際の可視領域を超えた場合、画面が完全に写り出さず、見るとき、画面に死角があるという問題点があること。  
（４）プラズマディスプレイ（ＰＤＰ）は、真空ガラス管に惰性ガスや水銀蒸気を充填し、電圧をかけたあと、ガスのプラズマ効果で紫外線を生成し、蛍光体を励起、可視光線を発生させることになり、このようなディスプレイは重くて、サイズが大きいほかに、飽和色と鮮明度が強く、死角がない製品であるが、高価で、消費電力がかかり、使用の際、熱エネルギーが発生しやすいこと。  
（５）発光ダイオードディスプレイ（ＬＥＤ）は、ＬＥＤからなる表示ディスプレイで、各ドットは一個または複数の発光ダイオードからなり、電気回路により、ダイオードの点灯・消灯を制御し、ドットを発光させ、更に、大画面全体にイメージを表示させることになり、サイズは液晶ディスプレイより大きく、イメージの質は普通並みであるが、単色カラー表示がよく、使用寿命が長く、高効率、低消費電力、軽量という長所に対して、平面発光、有限視野、高輝度でなく、高コスト、化学的安定性が低く、温度に影響されやすいという短所があること。  
【０００３】
次は、現在、液晶ディスプレイ、プラズマディスプレイ、発光ダイオードディスプレイは競争が激しい製品であるが、製造過程により、普及される程度に影響を与えるが、それについて、次のように簡単に述べる。
（１）液晶ディスプレイの製造過程中、人体に有害な物質が発生し、排気ガスも環境へのダメージを与えるもので、特に回収処理も容易でないこと。
（２）プラズマディスプレイの製造過程中、設備コストが非常に高く、億元以上の投資金額が必要となり、そして、定期的点検保守や排出処理用設備コストも高いことから、製造ラインへの投入額が比較的に多く、経済的でなく、製品の単価が高いこと。  
（３）発光ダイオードディスプレイの製造過程中、ダイオードの試用寿命が長いが、それに合わせる関連部品が対応できず、結果は予想ほどうまく行かず、大寸法のディスプレイの量産ができないこと。
【０００４】
上述の説明から分かるように、現在の市場シェアが高く、または主流製品にも、若干不十分な点が残され、それを改善する必要がある。
【０００５】
また、現在、緻密な映像・音声ステレオシステムが次々と追求され、小サイズのディスプレイは、高画質（Ｆｕｌｌ−ＨＤ）を実現したが、視覚効果は、画面がまだ大きくならないということで、プロジェクタとスクリーンからなる映像設備に関する画面要求仕様は現在、業者の開発する要点となり、初めは、シングルプロジェクタが、映像を白い壁または簡単なスクリーンに投射する形から、多機能之プロジェクタに専用な表示スクリーンを組み合わせた形になり、いずれも主に画質の向上を求め、ロスレス映像を実現させるようにするが、通常、市販でよく見られる、このプロジェクタの専用表示スクリーンは、材質から分けると、たいていニットスクリーンと弾力スクリーンが含まれるが、ニットスクリーンは、ニット生地に塗料を塗布されたもので、塗料により、白色スクリーン、灰色スクリーンとパールスクリーンがあり、ニット生地の横糸と縦糸による縞模様により、たいてい低解像度で、プロジェクタからのモアレ効果が多く生じて、画面効果にマイナスな影響を与えるが、もちろん、緻密に織り上げられたスクリーンは、よりよい映像を表示することになるが、弾力スクリーンは、主にプラスチックとＰＶＣ材質からなり、それに緻密で不規則な模様を入れ、光拡散のスクリーンになり、視野と画像の均一性を高めるが、例えば、マットホワイトスクリーン、マットグレイスクリーン、ガラスビーズスクリーン、金属スクリーンなどが含まれているが、プロジェクタの機能や種類は多様化され、スクリーンは機能から、更に反射式と通過式の二つに分かれるが、反射式はフロントプロジェクションに、通過式はリアプロジェクションに用いられている。
【０００６】
上述した従来のスクリーン構造は実施上、使用者自身のニーズに応じて、適当なプロジェクタとスクリーンが選ばれるのが多く、観賞者が少ない場合は、視野が小さく、効果の大きい金属スクリーンを使用し、個人満足の投射画面を得られるが、鑑賞者が多い場合は、視野が多く、効果の小さいマットホワイトスクリーンを使用し、多くの人に投射画面を見せる効果がある。しかしながら、いずれのスクリーン構造にも長短所があり、汎用プロジェクタスクリーンに対応できず、例えば、マットホワイトスクリーンは、視野が広いが、輝度不足、低反射、投射画面の鮮明さが悪くなりがち、多段階で立体効果がはっきりしないものであり、ガラスビーズスクリーンは、表面に光学の辰砂層が塗布されているため、輝度や反射が高くなり、眩しい光が生じやすく、塗布された辰砂層も均等にならず、反射效果も不一致し、特に、製作過程中、化学薬剤の塗布により、大気の汚染になりがち、廃棄後でも二次環境汚染問題にもなり、それに、その他のスクリーンに存在する問題点、例えば、平らにならず、単一面のみ使用可能、放射効果があり、水洗不可、吸光と反射が不一致し、同一仕様のサイズでも重いという欠点や不十分な点があり、そこから、従来のスクリーンを極めて改善する余地と必要性がある。
【０００７】
なお、現在の省エネ、コンパクト、低コストのマイクロプロジェクタは技術として、主に、ＬＥＤ、レーザーなどをバックライトとし、レンズにより、映像を拡大し、スクリーンに投射することになり、当該技術はまだ完全なるものでないため、画質は、一般的なディスプレイの水準を達せないこと、そして、ＬＥＤ投影技術は、既知のＬＥＤディスプレイに類似し、製造の際、投入する設備に過大なコストがかかり、廃棄物処理に関わる環境保全問題も残され、一般的な中小企業の開発するベストチョイスにならないこと、レーザー投影技術はスキャン投影技術に近づけ、焦点による画像生成が行われず、レーザー投影技術を通じて、焦点調整をせずに、平らでない平面にも画像を生成させることになり、仕組みが簡単で、マイクロ化や製造コストにおいて、ＬＥＤ投影技術より費用が低いものであり、長所が多いが、現在、商品化される製品はなかなか少なく、主な原因はコンパクト、低消費電力、高パワーのグリーンレーザーがなく、それに、レーザ−の光同調性により生じられるレーザー光のスポットが有効に取り除けないということから、従来の投影技術により、ディスプレイの映像に及べる画質を見せるスクリーンは大きな割合を占めていることが分かる。
【０００８】
本考案の考案者は、それを鑑みて、ディスプレイ作りをコンセプトとし、ＬＣＤ、ＬＥＤパネルを真似て、パネル設計において、緻密な画面、高解像度を求め、そして、同一パネルのサイズで、最大ピクセル数を実現させることにより、画像をより決め細やかに投射、映像をより豊富に見せると同時に、製造過程中、ディスプレイの発展に生じられる巨額な投資費用の発生、環境保全に一致しない製造工程や、回収後に人体に害のある大量な廃棄物の発生による環境汚染という欠点を解決するため、絶え間なく実験、試作や改良を繰り返し、行ったうえ、ようやく“多機能擬似ディスプレイ”を考案し、本考案により、高画質（Ｆｕｌｌ−ＨＤ）以上の映像效果を実現すると同時に、４Ｋ×２Ｋの画質投影が可能で、映像の立体感が一般的な平面ディスプレイよりも優れたもので、残影や使用寿命の心配もない。
【考案の開示】
【考案が解決しようとする課題】
【０００９】
それゆえ、本考案の目的（１）は、高画質（Ｆｕｌｌ−ＨＤ）以上の映像効果（４Ｋ×２Ｋの画質投影まで可能）を実現、立体感に優れた映像を持つ効果のある多機能擬似ディスプレイを提供することにある。
本考案の目的（２）は、発光せず、吸光のみのスクリーン設計により、目へのダメージを減少させるための多機能擬似ディスプレイを提供することにある。  
本考案の目的（３）は、製造コストが低く、量産によい経済的効果を持つ多機能擬似ディスプレイを提供することにある。  
本考案の目的（４）は、電気的接続や発光もせず、省エネで、使用寿命が長く、被覆グレイスケールガラス板に毀損があっても、環境にやさしい廃棄物処理を行える多機能擬似ディスプレイを提供することにある。
本考案の目的（５）は、使用しない時にも、会議や授業のホワイトボードなど他の用途にも応用可能で、ディスプレイの多用途的な実用性と利用価値向上に役立つ多機能擬似ディスプレイを提供することにある。
【課題を解決するための手段】
【００１０】
上述の種々な目的を達成させるため、本考案の考案者によって設計された多機能擬似ディスプレイは少なくとも、
極細単糸と超細金属繊維を燃り合わせた燃合糸からなるスクリーンが備わり、上下織りされ、非常に決め細やかで、織り糸がそれぞれ細かい間隔を均等にあけてなる格子状構造が設けられており、
透明で、強度と硬度の高い特性を持つ被覆グレイスケールガラス板が二枚備わり、真空抽出法でスクリーンの両面を密着に挟み込んで固定され、そして端部が封止されてなることを特徴とするものであり、それにより、実施の際、実際のニーズに応じて行われるが、リアプロジェクションの使用で、高画質（Ｆｕｌｌ−ＨＤ）以上の実現、ないし、４Ｋ×２Ｋの画質投影が可能で、一般的な平面ディスプレイよりも、立体感に優れている。
【００１１】
該多機能擬似ディスプレイは更に、移動式台座が設けられるが、該移動式台座は、片側にスクリーンを納められ、他方側は  複数の個キャスターが設けられ、自由に移動可能である。
【００１２】
該多機能擬似ディスプレイは、投影用途に使用しない場合、更に、一般的なホワイトボードとして使用可能、使用者がその表面に直接にカラーペンで書いてもよく、それをふき取って、繰り返し使用が可能である。  
本考案の“多機能擬似ディスプレイ”の他の目的と特性、長所について、審査員により理解していただくように、その構造の特徴について次のように説明する。
【図面の簡単な説明】
【００１３】
【図１】本考案の多機能擬似ディスプレイの分解図。
【図２】本考案の多機能擬似ディスプレイの組立図。
【図３】本考案の多機能擬似ディスプレイのもう一つの実施形態分解図。
【図４】本考案の多機能擬似ディスプレイのもう一つの実施形態組立図。
【図５】本考案の多機能擬似ディスプレイ之フロントプロジェクションの使用状態。
【図６】本考案の多機能擬似ディスプレイのリアプロジェクションの使用状態。
【図７】本考案の多機能擬似ディスプレイのもう一つの使用形態図。
【考案を実施するための形態】
【００１４】
本考案は、多機能擬似ディスプレイを提供し、図１に示すように、その構造、組立は少なくとも、
特製繊維を上下織りされ、非常に決め細やかで、織り糸がそれぞれ細かい間隔を均等にあけてなる一スクリーン（１）が備わり、その幅と高さの割合は、実際のニーズに応じて調整可能で、現在よく見られる幅と高さの比率４：３構造があるが、それだけに限られないものであり、該スクリーン（１）は製造の際、一般的に見られるニットスクリーンでなく、極細単糸と超細金属繊維を燃り合わせた燃合糸を使用し、それから、平織りの上下織りされた決め細やかな表面に、織り糸がそれぞれ細かい間隔を均等にあけてなる格子状之スクリーン（１）であり、両面とも投影にも使用可能であり、それから、電動機械による編み張りで固定され、計器でその張力の均一性を求め、引っ張られても平らで皺がなければよいものであり、また、該スクリーン（１）は、従来の発光式でなく、内部吸光式が特徴であり、
透明で、強度と硬度に優れた被覆グレイスケールガラス板（２）が備わり、実施上、石英ガラス、Ｌｏｗ−Ｅガラスなどを使用してもよいが、それに限らないが、良好な透光率により、ロスレス映像を実現させるようにするが、該被覆グレイスケールガラス板（２）はそれぞれ、スクリーン（１）の両面を密着に挟み込み、真空抽出法で貼合せるように設けられているが、張り合わせは、緊密に張り合わせるために気泡の発生を絶対させないようにし、それから、端部の封止めを行って、スクリーン（１）の平らを保つように行われる。
【００１５】
上述により、図２に示すように、完全でオリジナルな多機能擬似ディスプレイが設けられる。
図３、図４に示すように、該多機能擬似ディスプレイは更に、移動式台座（３）が設けられるが、該移動式台座（３）はよく見られる材料、例えば、軽金属、木、プラスチックなどが作られるが、そして表面には多機能擬似ディスプレイを嵌め、固定するための嵌込溝（３０）が設けられ、その底面には、複数のキャスター（３１）が均等に設けられ、自由に移動可能で、使用や収納にもスペースがかからない。
【００１６】
図５、図６に示すように、該多機能擬似ディスプレイは実際使用のとき、投影ユニット（４）を該多機能擬似ディスプレイの位置に合わせて投射すれば、該多機能擬似ディスプレイにきれいで完全な画面を見せると同時に、使用者のニーズに応じて、フロントプロジェクションやリアプロジェクションの使用にも可能で、いずれも高画質（Ｆｕｌｌ−ＨＤ）以上の映像効果を実現、ないし４Ｋ×２Ｋの画質投影も可能で、立体感が一般的な平面ディスプレイよりも優れている。
本考案のスクリーン（１）は、金属繊維内蔵の特性を有するもので、二枚の硬質被覆グレイスケールガラス板（２）を組み合わせることにより、密着に挟まれ、固定されているので、スクリーン（１）の平らと滑らかさを長期間保ち、波形状などの発生を避けられると同時に、該スクリーン（１）は、高密度の横糸と縦糸で織り上げられたもので、織り糸はすべて均等に配置され、間隔が細かく緻密になり、吸光と反射效果が向上し、平らで滑らかな面を保つことができるということで、視野や可視領域が非常に大きく、投影に使用するとき、光のスポットや影、目を眩ませることもなく、また、被覆グレイスケールガラス板（２）の両面の密着挟みにより、該スクリーン（１）の収納が簡単になり、使用寿命が延び、画面も変形せず、該多機能擬似ディスプレイの表面に対して、水洗、清掃、メンテナンス、払拭などを直接に行ってもよい。
その他、本考案により、実際の投影を行うとき、スクリーン（１）の表面には、何も添加物や処理を行われていないため、両面にも投影可能で、非常に便利なことであり、例えば、フロントプロジェクションのとき、完全で決め細やかな画面を見せられるが、使用環境の光線が強い場合は、背面に黒い生地を配置できるが、リアプロジェクションのとき、映像を直接にスクリーン（１）に投射すれば、ライトの追加をせず、他方側にきれいで完全な画像が映り込まれると同時に、プロジェクタの位置や光源にも影響されないものであり、それにより、従来のスクリーンの片側しか使用できない欠点を解決し、使用もより柔軟に行われる。そのうえ、プロジェクタの光線をスクリーン（１）の上に投射したあと、上述した含有成分と特性により、従来のニットスクリーンのように、表面に更に特殊なスクリーン材料を施す必要もなく、色の飽和が向上し、明るさのコントラストも標準値以上に達する投影効果が得られるが、特に、該多機能擬似ディスプレイにより投影された画面は、解像度が段階的にはっきりと表示され、優れた段階的表示や立体感が向上する。
【００１７】
最後は、図７に示すように、本考案のスクリーン（１）は両面にそれぞれ高強度と高硬度の被覆グレイスケールガラス板（２）が被覆され、密着に挟み込んで固定されているため、投影に使用されない場合は、会議や授業用のホワイトボードにも使用可能で、使用者がその表面に直接にカラーペンで書いてもよく、それをふき取って、繰り返し使用が可能であるため、一物多用途なので、実用性と利用価値が向上する。
【００１８】
上述したように、本考案のプロジェクタのスクリーン構造改良は、実際に実施したところ、確かに、上述した多くの実用的な効果があり、それにより、従来のスクリーンに存在する種々の欠点を完全に改善し、平面ディスプレイの高画質（Ｆｕｌｌ−ＨＤ）より優れた映像効果を実現、ないし、４Ｋ×２Ｋの画質投影，も可能で、立体感が一般的な平面ディスプレイよりも優れたもので、従来のディスプレイの技術範疇を超えたものなので、このようなオリジナルで、実用性のある品物が、特許法に定められた出願要件に一致することで、法の規定により出願する次第である。
【００１９】
ただし、上述したのは、本考案の好適で実施可能な実施例だけについて説明したもので、本考案の明細書や図面の内容に基づき、その改造を行って、それと同等な効果を得たとしても、それらの改造はすべて以下の実用新案登録請求範囲に含まれるものとすることをここで説明する。
【符号の説明】
【００２０】
スクリーン                  １
被覆グレイスケールガラス板  ２
移動式台座                  ３
嵌込溝                      ３０
キャスター                  ３１
投影ユニット                ４
【図１】
0003173204.tif 000003
【図２】
0003173204.tif 000004
【図３】
0003173204.tif 000005
【図４】
0003173204.tif 000006
【図５】
0003173204.tif 000007
【図６】
0003173204.tif 000008
【図７】
0003173204.tif 000009